(57)【要約】      （修正有）【課題】傘使用の安全性と実用性を高めることが可能な、位置決め構造を備えた回転傘を提供する。【解決手段】傘の中棒１０は、主中棒１１と副中棒１２という二つの独立した棒体が差込接続されてなる。主中棒は、比較的長い棒体であり、底端に傘柄が固定される。副中棒は、主中棒上方に差込接続されるとともに、頂部に上ロクロ２０が固定され、且つ比較的短い棒体である。枢接されて一つの中棒をなした主中棒と副中棒は、それぞれ個別に回転可能な形態であるため、上ロクロと接続された親骨６０及び傘面が開傘後にも副中棒と連動して回転可能となる。傘の主中棒と下ロクロ３０には、位置決め構造が設けられているため、閉傘後に親骨・傘面及び副中棒がそれぞれ回転することはない。よって、開傘時に親骨や傘布が人等にぶつかった場合、傘面が回転して衝撃力を吸収して怪我を防止し、閉傘後は親骨・傘面が位置決めされて回転しない。【選択図】図４
0003197959.tif 000002
【実用新案登録請求の範囲】
【請求項１】
中棒と、上ロクロと、下ロクロと、開傘バネと、緩衝カバーと、親骨とからなる、位置決め構造を備えた回転傘であって、
前記中棒は、中空の主中棒と副中棒が差込接続されてなり、
前記副中棒は、長さが前記主中棒よりも短く、前記副中棒下半部の外径は主中棒の内径よりも小さく、
前記副中棒下半部が前記主中棒上端から差込接続された後、前記主中棒と前記副中棒が外れることがないように、前記主中棒頂端に近い位置、及び差込まれた前記副中棒下半部には、プレス加工でぴったり合うよう形成された内側凹環状溝がそれぞれ設けられ、
前記主中棒底端には、手元が固定されるとともに、前記主中棒における前記手元に近い位置には、ハジキが設けられ、
前記上ロクロは、前記副中棒における頂端に近い位置に固定され、
複数の前記親骨は、一端が前記上ロクロと枢接されるとともに、前記親骨には傘布面が設けられ、
前記下ロクロは、前記中棒に被せられ、
更に、
前記下ロクロは、主ロクロと、副ロクロと、カバーとからなり、
前記主ロクロは、底端の全周面に複数の切欠溝が設けられるとともに、前記切欠溝上方に位置する前記主ロクロの周面には、係止ブロックが設けられ、
前記副ロクロは、前記主ロクロ上方に設けられ、
前記カバーは、底端内面に凸環が設けられ、上端に近い位置に係止孔が設けられ、且つ前記カバーは前記主ロクロ下方から前記主ロクロ下半部に被せられるとともに、前記係止孔と前記主ロクロの係止ブロックが係止され、更に前記主ロクロ底端の切欠溝に被せられ、
更に、前記回転傘には、一端が前記副ロクロと枢接され且つ他端が前記親骨と枢接された複数の受骨、及び、一端が前記主ロクロと枢接され且つ他端が前記受骨と枢接された複数の補助骨が設けられ、
前記開傘バネは、前記下ロクロの前記主ロクロと前記副ロクロの間に突っ張った状態で設けられるとともに、前記開傘バネ底部は前記主ロクロ内に設けられ、前記開傘バネ頂端は前記副ロクロ底面と当接され、
前記緩衝カバーは、前記中棒の前記副中棒に被せられるとともに、前記緩衝カバー頂端は前記上ロクロ底面と当接されることを特徴とする、位置決め構造を備えた回転傘。
【考案の詳細な説明】
【技術分野】
【０００１】
本考案は、傘の構造に関し、特に、親骨・傘面が回転可能な、位置決め構造を備えた回転傘に関する。
【背景技術】
【０００２】
台湾特許第５９２０６０号明細書「回転傘面ユニットを備えた傘」には、親骨・傘面が回転可能な傘の構造が提供されているものの、その構造は未熟で不完全である。最も大きな問題は、傘を畳んだ後、親骨・傘面を位置決めして回転しないようにするための構造が何一つ備えられていないことであり、傘の持運びに不便を生じていた。よって、この傘の構造は理想的とは言えず、改善の必要がある。
【先行技術文献】
【特許文献】
【０００３】
【特許文献１】台湾特許第５９２０６０号明細書
【考案の概要】
【考案が解決しようとする課題】
【０００４】
上記の問題点に鑑み、本考案は、傘面の親骨末端が物品や人にぶつかって物品を破損したり人を傷つけたりしやすい、傘面が回転可能なタイプの傘を畳んだ後に親骨・傘面が位置決めされない、といった従来の傘における問題を解決することが可能な、位置決め構造を備えた回転傘を提供することを目的とする。
【課題を解決するための手段】
【０００５】
上述の目的を達成するために、本考案の位置決め構造を備えた回転傘において、傘の中棒は、主中棒と副中棒という二つの独立した棒体が差込接続されてなる。主中棒は、底端に傘柄が固定され、且つ比較的長い棒体である。副中棒は、主中棒上方に差込接続されるとともに、頂部に上ロクロが固定され、且つ比較的短い棒体である。更に、差込接続されて一つの中棒をなした主中棒と副中棒は、それぞれ個別に回転可能な形態であるため、上ロクロと接続された親骨及び傘面が開傘後にも副中棒に合わせて回転可能となる。加えて、傘の中棒と下ロクロには、位置決め構造が設けられているため、傘を畳んだ後、親骨・傘面及び副中棒がそれぞれ回転することはない。
【考案の効果】
【０００６】
以上の構造によってなる本考案は、使用者が手で手元を持って傘をさした時に、親骨や傘布が異物や人にぶつかった場合、ぶつかって生じた衝撃力を傘面が回転して吸収することにより、傘を持っている人やぶつかられた人が怪我することを防止する。また、閉傘した後は、親骨・傘面が位置決めされて回転しないため、傘の使用上における安全性と実用性を高めることが出来る。
【図面の簡単な説明】
【０００７】
【図１】本考案の外観を示した概略図である。
【図２】本考案の構造配置図である。
【図３】本考案の下ロクロの斜視分解図である。
【図４】本考案の開傘時の断面図である。
【図５】本考案の閉傘時の断面図である。
【考案を実施するための形態】
【０００８】
図１から図４までを参照する。本考案の位置決め構造を備えた回転傘は、中棒１０と、上ロクロ２０と、下ロクロ３０と、開傘バネ４０と、緩衝カバー５０と、親骨６０とからなる。中棒１０は、中空の主中棒１１と、副中棒１２が差込接続されてなる。副中棒１２は、主中棒１１よりも長さが短く、且つ副中棒１２下半部外径は主中棒１１の内径よりも小さく、上半部外径は主中棒１１の外径と同じである。更に副中棒１２下半部は、主中棒１１上端から差込接続される。尚、主中棒１１頂端に近い位置、及び差込まれた副中棒１２下半部には、プレス加工でぴったり合うように形成された内側凹環状溝１１１及び１２１がそれぞれ設けられることにより、主中棒１１と副中棒１２が外れることがなくなる。また、主中棒１１底端には、手元１３が固定されるとともに、手元１３に近い位置にはハジキ１４が設けられる。上ロクロ２０は、副中棒１２における頂端に近い位置に固定される。複数の親骨６０は、一端が上ロクロ２０と枢接されるとともに、親骨６０には傘布面が設けられる。下ロクロ３０は、中棒１０上に被せられるとともに、主ロクロ３１と、副ロクロ３２と、カバー３３とからなる。主ロクロ３１底端の全周面には複数の切欠溝３１１が設けられ、切欠溝３３１上方に位置する主ロクロ３１周面には係止ブロック３１２が設けられる。副ロクロ３２は、主ロクロ３１上方に設けられる。カバー３３は、底端内面に凸環３３１が設けられ、上端に近い位置に係止孔３３２が設けられる。更にカバー３３は、主ロクロ３１下方から主ロクロ３１下半部に被せられるとともに、係止孔３３２と主ロクロ３１の係止ブロック３１２が係止され、且つ主ロクロ３１底端の切欠溝３３１に被せられる。複数の受骨６１は、一端が副ロクロ３２と枢接され、他端が親骨６０と枢接される。複数の補助骨６２は、一端が主ロクロ３１と枢接され、他端が受骨６１と枢接される。開傘バネ４０は、下ロクロ３０の主ロクロ３１と副ロクロ３２の間に突っ張った状態で設けられるとともに、底部は主ロクロ３１内に設けられ、且つ頂端は副ロクロ３２底面と当接される。緩衝カバー５０は、中棒１０の副中棒１２に被せられるとともに、頂端は上ロクロ２０底面と当接される。
【０００９】
図４と図５を参照する。ハジキ１４を押して開傘した後、傘は、開傘バネ４０が下ロクロ３０を上へ移動させて緩衝カバー５０に当接させるとともに、親骨６０が開いて傘面が開く（図４参照）。傘の中棒１０は、主中棒１１及び副中棒１２という二つの独立した棒体が差込み接続されてなるため、それぞれが連動しない。よって、使用者が手で手元１３を持って傘をさした時に、親骨６０や傘布が異物や人にぶつかった場合、傘面は、上ロクロ２０に枢接された親骨６０が副中棒１２を連動させて下ロクロ３０及び緩衝カバー５０とともに回転することにより、ぶつかって生じた衝撃力を吸収する。また閉傘した後（図５を参照）、下ロクロ３０は、下向きに移動して手元１３に近い位置まで至り、ハジキ１４がカバー３３の凸環３３１に留められて完全に閉傘される。同時にハジキ１４は、主ロクロ３１底端の切欠溝３１１内に入って下ロクロ３０を係止することで、親骨６０が副中棒１２と連動していずれも回転不能になる。つまり、閉傘後に傘面が位置決めされて回転することがなく、持運びに便利であると言える。
【符号の説明】
【００１０】
１０   中棒
１１   主中棒
１２   副中棒
１３   手元
１４   ハジキ
２０   上ロクロ
３０   下ロクロ
３１   主ロクロ
３２   副ロクロ
３３   カバー
４０   開傘バネ
５０   緩衝カバー
６０   親骨
６１   受骨
６２   補助骨
１１１ 内側凹環状溝
１２１ 内側凹環状溝
３１１ 切欠溝
３１２ 係止ブロック
３３１ 凸環
３３２ 係止孔
【図１】
0003197959.tif 000003
【図２】
0003197959.tif 000004
【図３】
0003197959.tif 000005
【図４】
0003197959.tif 000006
【図５】
0003197959.tif 000007